(57)【要約】【課題】発泡樹脂製のケミカル面戸と金属薄板製の面戸板とを組み合わせて使用する水上側の雨仕舞において、作業性が良く、位置決めも簡単で、離型紙等のゴミも削減しうる面戸の取付構造と取付方法、及び該構造・方法に用いられる面戸板を提供する。【解決手段】本発明の面戸の取付構造は、表面に起伏を有する屋根葺き材２０の上面に発泡樹脂からなるケミカル面戸３０が取り付けられ、ケミカル面戸３０の水下側の正面に、金属薄板からなる面戸板４０が、該面戸板４０に形成された穿刺爪４６をケミカル面戸３０に突き刺して取り付けられ、上記ケミカル面戸３０の上面に棟下地桟木５０が当てがわれて、この棟下地桟木５０がケミカル面戸３０とともに屋根下地材１０に対してビス固定され、上記棟下地桟木５０に棟包み６０が被せられて、この棟包み６０が棟下地桟木５０に対してビス固定されるものである。【選択図】図１
2007107193.tif 000002
【特許請求の範囲】
【請求項１】
表面に波形または山谷形状の起伏を有する屋根葺き材が屋根下地材上に葺設され、
上記屋根葺き材の棟近傍における上面に発泡樹脂からなるケミカル面戸が取り付けられ、
上記ケミカル面戸の水下側の正面に、金属薄板からなる面戸板が、該面戸板に形成された穿刺爪をケミカル面戸に突き刺して取り付けられ、
上記ケミカル面戸の上面に棟下地桟木が当てがわれて、この棟下地桟木がケミカル面戸とともに屋根下地材に対してビス固定され、
上記棟下地桟木に棟包みが被せられて、この棟包みが棟下地桟木に対してビス固定されたことを特徴とする面戸の取付構造。
【請求項２】
面戸板は、正面側の止水面部と、止水面部の上縁から背面側に張り出した取付面部とからなる略Ｌ字形の断面形状を具備して、上記取付面部に形成された穿刺爪がケミカル面戸の上面に突き刺され、
上記取付面部の上面に棟下地桟木が当てがわれて、この棟下地桟木がケミカル面戸及び面戸板とともに屋根下地材に対してビス固定されたことを特徴とする請求項１に記載の面戸の取付構造。
【請求項３】
表面に波形または山谷形状の起伏を有する屋根葺き材を屋根下地材上に葺設し、
上記屋根葺き材の棟近傍における上面に発泡樹脂からなるケミカル面戸を仮止めし、
上記ケミカル面戸の水下側の正面に金属薄板からなる面戸板を当接させて、
上記面戸板に形成された穿刺爪をケミカル面戸に突き刺して面戸板をケミカル面戸に仮止めした後、
上記ケミカル面戸の上面に棟下地桟木を当てがい、この棟下地桟木を屋根下地材に対してビス固定し、
上記棟下地桟木に棟包みを被せ、この棟包みを棟下地桟木に対してビス固定することを特徴とする面戸の取付方法。
【請求項４】
表面に波形または山谷形状の起伏を有する屋根葺き材が屋根下地材上に葺設され、
上記屋根葺き材の水上側の外壁との取合部近傍における上面に発泡樹脂からなるケミカル面戸が取り付けられ、
上記ケミカル面戸の上面及び水下側の正面に、金属薄板からなる断面略Ｌ字形の面戸板が、該面戸板に形成された穿刺爪をケミカル面戸に突き刺して取り付けられ、
上記ケミカル面戸及び面戸板の上面に雨押えが被せられて、この雨押えが屋根葺き材または面戸板に対してビス固定されたことを特徴とする面戸の取付構造。
【請求項５】
表面に波形または山谷形状の起伏を有する屋根葺き材を屋根下地材上に葺設し、
上記屋根葺き材の水上側の外壁との取合部近傍における上面に発泡樹脂からなるケミカル面戸を仮止めし、
上記ケミカル面戸の水下側の上面及び水下側の正面に、金属薄板からなる断面略Ｌ字形の面戸板を当接させて、上記面戸板に形成された穿刺爪をケミカル面戸に突き刺して面戸板をケミカル面戸に仮止めした後、
上記ケミカル面戸及び面戸板の上面に雨押えを被せ、この雨押えを屋根葺き材または面戸板に対してビス固定することを特徴とする面戸の取付方法。
【請求項６】
発泡樹脂からなるケミカル面戸の水下側の正面に取り付けられる金属薄板製の面戸板であって、ケミカル面戸と当接する側に、鋭利な先端形状を有する穿刺爪が形成されたことを特徴とする面戸板。
【請求項７】
穿刺爪が、面戸板を構成する金属薄板の一部を打ち抜いて折曲自在に形成されたことを特徴とする請求項６に記載の面戸板。
【請求項８】
穿刺爪の先端脇に返り爪が形成されたことを特徴とする請求項６または７に記載の面戸板。
【請求項９】
正面側の止水面部と、止水面部の上縁から背面側に張り出した取付面部とからなる略Ｌ字形の断面形状を具備することを特徴とする請求項６〜８に記載の面戸板。
【請求項１０】
穿刺爪が、取付面部に形成されたことを特徴とする請求項９に記載の面戸板。
【請求項１１】
穿刺爪が、止水面部に形成されたことを特徴とする請求項９に記載の面戸板。
【請求項１２】
取付面部の背縁部が上向きに折り返されて、水返し片が形成されたことを特徴とする請求項９〜１１に記載の面戸板。
【発明の詳細な説明】
【技術分野】
【０００１】
本発明は、表面に波形または山谷形状の起伏を有する勾配屋根の棟近傍や、外壁と屋根との取合部近傍における水上側面戸の取付構造と取付方法、及び該構造・方法に用いられる面戸板に関する。
【背景技術】
【０００２】
表面に波形または山谷形状の起伏を有する屋根葺き材が葺設される勾配屋根においては、棟の近傍や、上階外壁から外側に葺き下ろされた差掛屋根、庇屋根等の水上側の取合部近傍における雨仕舞が必要になる。このような雨仕舞としては、屋根葺き材の表面の起伏に合致した面戸部材を、水上側に被装される棟包みや雨押え等との間に挟み込んで隙間を塞ぐのが一般的である。かかる雨仕舞に利用される面戸部材のうち、とくに軽量で形状加工性や施工性にも優れる部材として、ケミカル面戸（ソフト面戸）と称される発泡樹脂製の面戸部材が公知である（例えば、特許文献１〜３等）。
【０００３】
図７〜図８は、上記のようなケミカル面戸を用いて棟近傍を雨仕舞する場合の、従来の納まりを示す。例示形態に係る屋根は、波形の段付プレス加工をした金属薄板製の屋根葺き材９１が、屋根下地材９２に所定間隔で配設されたタイトフレーム９３に、フランジ付きのタッピンねじ９４で留め付けられている。この屋根の棟頂部は断面略傘形の棟包み（棟カバー）９５によって覆われるが、この棟包みの縁部下側と屋根葺き材との間に形成される波形の隙間を塞ぐのが棟面戸である。
【０００４】
棟面戸は、ポリエチレン系の発泡樹脂からなるケミカル面戸９６と、このケミカル面戸９６の水下側に重ねて取り付けられる金属薄板製の面戸板９７とから構成されている。ケミカル面戸９６は、屋根葺き材９１の表面に形成された波形起伏の高さよりも若干大きい厚みを有し、底面が屋根葺き材９１の波形起伏の数ピッチ分に合わせて波形に加工され、上面が平坦に形成されている。面戸板９７は、ケミカル面戸９６の厚みよりも大きい高さを有し、下縁部が屋根葺き材９１の波形起伏と合致するように形成され、上縁部が直線状に形成されている。そして、まず、屋根葺き材９１の上面に、粘着テープや接着剤等を介してケミカル面戸９６が仮止めされる。次いで、ケミカル面戸９６の上面に棟下地桟木９８が重ねられ、この棟下地桟木９８が、上面から屋根下地材９２に対してビス止めされる。これにより、ケミカル面戸９６が屋根葺き材９１の波形起伏の高さに合わせてやや圧縮された状態で、棟下地桟木９８とともに屋根面に固定される。
【０００５】
次いで、ケミカル面戸９６及び棟下地桟木９８の水下側の正面に面戸板９７が当てがわれ、この面戸板９７が、正面側から棟下地桟木９８に対してビス止めされる。そして、これらの上に棟包み９５が被せられ、棟包み９５の側壁部が、正面側から棟下地桟木９８に対してビス止めされる。このような手順によって、棟包み９５、面戸板９７、棟下地桟木９８、及びケミカル面戸９６が一体的に固定された棟部の雨仕舞が得られる。
【特許文献１】特開昭６３−５５２４６号公報
【特許文献２】特開平８−２５３９８３号公報
【特許文献３】特開２０００−３２８７４５号公報
【発明の開示】
【発明が解決しようとする課題】
【０００６】
図７に示したような従来の納まりでは、棟下地桟木９８に対して、面戸板９７を固定するためのビス止め作業（ビス９９ａ）と、棟包み９５を固定するためのビス止め作業（９９ｂ）とが必要になるが、同じ部材に対して同じ方向から、同じようなビス止め作業を２回行うのは非効率である。しかも、このビス止め作業は、勾配を有する屋根の上で、斜め下方から斜め上方に向けてビスを打つことになるので、安定した作業姿勢を取りにくく、作業者の身体的負担や危険性が大きい。
【０００７】
これを改善するには、面戸板９７をケミカル面戸９６に簡単に仮止めしておき、棟包み９５を固定するためのビス１本で、面戸板９７等を一緒に固定できるのが望ましい。そのための仮止め手段としては、面戸板９７を両面テープで貼着することが考えられる。しかしながら、両面テープによる仮止めは、貼着位置が微妙にズレた場合の合わせ直しが困難で、仕上がり精度に悪影響を与えるおそれがある。加えて、屋根の上で両面テープの離型紙を剥がしたり、剥がした離型紙を散らばらないように回収するのも甚だ面倒な作業になる。
【０００８】
このような作業性に関する問題は、上記した棟部分だけでなく、上階外壁から外側に葺き下ろされた差掛屋根、庇屋根等の水上側の取合部近傍においても同様に指摘することができる。
【０００９】
そこで、本発明は、発泡樹脂製のケミカル面戸と金属薄板製の面戸板とを組み合わせて使用する水上側の雨仕舞において、従来よりも作業性が良く、面戸板の位置決めや、位置がズレたときの合わせ直しも簡単で、離型紙等のゴミも削減しうる面戸の取付構造と取付方法、及び該構造・方法に好適に利用しうる面戸板を提供するものである。
【課題を解決するための手段】
【００１０】
上記目的を達成するため、本発明は、以下の構成によって特徴付けられる。
【００１１】
棟近傍における面戸の取付構造としては、表面に波形または山谷形状の起伏を有する屋根葺き材が屋根下地材上に葺設され、上記屋根葺き材の棟近傍における上面に発泡樹脂からなるケミカル面戸が取り付けられ、上記ケミカル面戸の水下側の正面に、金属薄板からなる面戸板が、該面戸板に形成された穿刺爪をケミカル面戸に突き刺して取り付けられ、上記ケミカル面戸の上面に棟下地桟木が当てがわれて、この棟下地桟木がケミカル面戸とともに屋根下地材に対してビス固定され、上記棟下地桟木に棟包みが被せられて、この棟包みが棟下地桟木に対してビス固定されることを特徴とする。
【００１２】
すなわち、この発明は、ケミカル面戸に重ねられる面戸板に穿刺爪を形成し、この穿刺爪をケミカル面戸に突き刺して仮止めするように構成されたもので、これにより、面戸板の位置決め作業が容易になり、また、上記従来の納まりに比べて棟下地桟木に対するビス止め作業を１回分、省くことが可能なる。
【００１３】
上記した面戸の取付構造においては、面戸板が、正面側の止水面部と、止水面部の上縁から背面側に張り出した取付面部とからなる略Ｌ字形の断面形状を具備して、上記取付面部に形成された穿刺爪がケミカル面戸の上面に突き刺され、上記取付面部の上面に棟下地桟木が当てがわれて、この棟下地桟木がケミカル面戸及び面戸板とともに屋根下地材に対してビス固定されるように構成されてもよい。
【００１４】
この構成によると、面戸板の取付面部がケミカル面戸と棟下地桟木との間に挟み込まれ、棟下地桟木を屋根下地材に固定するためのビスによって一緒に固定されるので、部材同士の結合状態が、より確実になり、止水性も向上する。
【００１５】
また、棟近傍における面戸の取付方法としては、表面に波形または山谷形状の起伏を有する屋根葺き材を屋根下地材上に葺設し、上記屋根葺き材の棟近傍における上面に発泡樹脂からなるケミカル面戸を仮止めし、上記ケミカル面戸の水下側の正面に金属薄板からなる面戸板を当接させて、上記面戸板に形成された穿刺爪をケミカル面戸に突き刺して面戸板をケミカル面戸に仮止めした後、上記ケミカル面戸の上面に棟下地桟木を当てがい、この棟下地桟木を屋根下地材に対してビス固定し、上記棟下地桟木に棟包みを被せ、この棟包みを棟下地桟木に対してビス固定することを特徴とする。
【００１６】
この取付方法によれば、面戸板に形成された穿刺爪をケミカル面戸に突き刺して、面戸板をケミカル面戸に容易に仮止めすることができ、さらに、棟下地桟木に対するビス止め作業も上記従来の納まりに比べて１回分、省くことが可能になる。
【００１７】
水上側の外壁との取合部近傍における面戸の取付構造としては、表面に波形または山谷形状の起伏を有する屋根葺き材が屋根下地材上に葺設され、上記屋根葺き材の水上側の外壁との取合部近傍における上面に発泡樹脂からなるケミカル面戸が取り付けられ、上記ケミカル面戸の上面及び水下側の正面に、金属薄板からなる断面略Ｌ字形の面戸板が、該面戸板に形成された穿刺爪をケミカル面戸に突き刺して取り付けられ、上記ケミカル面戸及び面戸板の上面に雨押えが被せられて、この雨押えが屋根葺き材または面戸板に対してビス固定されたことを特徴とする。
【００１８】
また、水上側の外壁との取合部近傍における面戸の取付方法としては、表面に波形または山谷形状の起伏を有する屋根葺き材を屋根下地材上に葺設し、上記屋根葺き材の水上側の外壁との取合部近傍における上面に発泡樹脂からなるケミカル面戸を仮止めし、上記ケミカル面戸の水下側の上面及び水下側の正面に、金属薄板からなる断面略Ｌ字形の面戸板を当接させて、上記面戸板に形成された穿刺爪をケミカル面戸に突き刺して面戸板をケミカル面戸に仮止めした後、上記ケミカル面戸及び面戸板の上面に雨押えを被せ、この雨押えを屋根葺き材または面戸板に対してビス固定することを特徴とする。
【００１９】
これらの取付構造・取付方法によっても、棟近傍と同様に、面戸板の位置決めや仮止めが容易になり、作業性が向上する。
【００２０】
また、本発明の面戸板は、発泡樹脂からなるケミカル面戸の水下側の正面に取り付けられる金属薄板製の面戸板であって、ケミカル面戸と当接する側に、鋭利な先端形状を有する穿刺爪が形成されたことにより特徴付けられる。かかる穿刺爪を形成することにより、ケミカル面戸への仮止めが容易になり、作業性が向上する。
【００２１】
上記穿刺爪は、面戸板を構成する金属薄板の一部を打ち抜いて折曲自在に形成されるのが好ましい。かかる穿刺爪は、施工現場で作業者が手で簡単に曲げることができる。このような構成を採用すれば、保管や輸送の際には面戸板同士を重ねて、嵩張らないように梱包することが可能になり、また、不使用時に穿刺爪が突出しないので怪我の予防にもなる。
【００２２】
また、上記穿刺爪の先端脇に、例えば鉤状の返り爪を形成すれば、ケミカル面戸に突き刺して仮止めした面戸板が、ケミカル面戸から抜け落ちにくくなって、さらに作業性が向上する。
【００２３】
この面戸板は、正面側の止水面部と、止水面部の上縁から背面側に張り出した取付面部とからなる略Ｌ字形の断面形状を具備するものとしてもよい。このような断面形状を採用することにより、ケミカル面戸に重ねられる面が２面となって、部材同士の結合状態が、より確実になる。穿刺爪を形成する位置については、ケミカル面戸に当接する側であれば、取付面部、止水面部のいずれでもよい。
【００２４】
上記取付面部には、その背縁部を上向きに折り返して水返し片を形成することができ、これによってさらに止水性を向上させることもできる。
【発明の効果】
【００２５】
上述のように本発明は、面戸板に形成された穿刺爪をケミカル面戸に突き刺して仮止めできるように構成されているので、面戸板を棟下地桟木その他の部材に取り付けるに際して、わざわざ、そのためだけのビス止め作業を行う必要はなくなり、施工工数の削減や作業時間の短縮を図ることができる。これによって、屋根上での作業にかかる作業者の身体的負担も軽減される。また、面戸板の仮止めに両面テープを使用しなくてもよいので、両面テープの離型紙を剥がしたり、剥がした離型紙を回収するなどの面倒な作業も不要になる。
【００２６】
また、本発明に係る面戸板は、発泡樹脂からなる軟質のケミカル面戸に限らず、例えば木材等の比較的柔らかい面戸部材に対しても、穿刺爪の形状を工夫して、ハンマー等の補助工具を使用すれば取付可能になる。
【発明を実施するための最良の形態】
【００２７】
以下、本発明の実施の形態について図を参照して説明する。
【実施例１】
【００２８】
勾配屋根の棟近傍部分における本発明の実施形態を図１及び図２に示す。図１は棟に直交する方向の縦断面図であり、通常は左右対称に構成される棟近傍の納まりを片側のみ図示している。以下、各部の構成を、施工手順に沿って説明する。
【００２９】
図１において、符号１０は野地板等からなる屋根下地材であり、その表面にはアスファルトルーフィング１２等による防水処理が施される。屋根下地材１０上には、屋根葺き材２０を固定するためのタイトフレーム１４が所定の間隔で配設される。
【００３０】
屋根葺き材２０は、例えばアルミニウム−亜鉛メッキ鋼板に波形の段付プレス加工をして、フッ素樹脂塗装等による防錆耐候処理を施した部材である。この屋根葺き材２０は、山部の位置で、フランジ付きのタッピンねじ２２によりタイトフレーム１４に留め付けられる。
【００３１】
符号３０はケミカル面戸である。ケミカル面戸３０は、例えばポリエチレン系の発泡樹脂からなる長尺または定尺の部材で、屋根葺き材２０の表面に形成された波形起伏の数ピッチ分の長さを有し、厚みが波形起伏の高さよりも若干大きくなるように形成される。図２に示すように、ケミカル面戸３０の底面は屋根葺き材２０の波形起伏に合わせて波形の曲面状に加工され、上面は平坦に形成される。そして、ケミカル面戸３０の底面が、屋根葺き材２０の上面に、両面テープや接着剤を介して仮止めされる。
【００３２】
符号４０は面戸板である。面戸板４０は、屋根葺き材２０と同様の薄板からなる長尺または定尺の部材で、ケミカル面戸３０と同様に、屋根葺き材２０の表面に形成された波形起伏の数ピッチ分の長さに形成される。例示形態に係る面戸板４０は、正面側の止水面部４２と、止水面部４２の上縁から背面側に張り出した取付面部４４とからなる略Ｌ字形の断面形状を有している。止水面部４２の高さは、屋根葺き材２０の表面に形成された波形起伏の高さとほぼ同寸で、下縁部が屋根葺き材２０の波形起伏と合致する曲線状に形成される。取付面部４４の幅は、ケミカル面戸３０の幅と略同寸か、それよりもやや大きい寸法に形成される。
【００３３】
本発明の要部は、この面戸板４０に、鋭利な先端形状を有する穿刺爪４６が形成された点にある。例示形態に係る穿刺爪４６は、取付面部４４の一部を打ち抜いて、背面方向に突出する先端Ｖ字状の爪片を形成したものである。この穿刺爪４６は、面戸板４０の長さ方向にわたって、適宜間隔で複数箇所に形成される。穿刺爪４６は、図２に示すように、施工時に先端を下向きに折り込むことにより、ケミカル面戸３０に対する仮止め手段となる。すなわち、ケミカル面戸３０の水下側の正面に面戸板４０の止水面部４２を当てがい、穿刺爪４６をケミカル面戸３０の上面に突き刺しながら、取付面部４４をケミカル面戸３０の上面に被せることにより、面戸板４０をケミカル面戸３０に対して適正に、かつ、きわめて簡単に仮止めすることができる。この作業には、ビス止めもテープ貼着も不要である。一本の面戸板４０に適宜間隔で複数個の穿刺爪４６を形成しておけば、施工現場で面戸板４０を部分的に切断して使用する場合でも仮止めの作業性が損なわれない。
【００３４】
こうして屋根葺き材２０に仮止めされたケミカル面戸３０及び面戸板４０には、さらに棟下地桟木５０が当てがわれ、この棟下地桟木５０が上方から屋根下地材１０に対してビス止めされる。このビス止めにより、ケミカル面戸３０及び面戸板４０も屋根下地材１０に対して一緒に固定される。ケミカル面戸３０は、屋根葺き材２０の波形起伏の高さに合わせてやや圧縮されるので、その底面部分が屋根葺き材２０に密着して良好な止水性が得られる。
【００３５】
棟下地桟木５０には棟包み６０が被せられる。棟包み６０は、屋根葺き材２０と同様の薄板からなる長尺または定尺の部材で、略傘形の断面を有する。例示形態に係る棟包み６０は、棟頂部から下降傾斜する斜面部６２、斜面部６２の端縁から垂下する側壁部６４、及び側壁部６４の下縁から外側に張り出す押え部６６等を具備する。そして、側壁部６４が、水下側から、フランジ付きのタッピンねじ６８によって棟下地桟木５０に留め付けられる。このようにして棟近傍の雨仕舞が構成される。なお、上記した棟近傍の雨仕舞における屋根下地材１０の構造や防水仕様、屋根葺き材２０の材質や起伏形状、棟包み６０の形状などは、本発明の要旨を逸脱しない範囲で適宜変更可能である。
【００３６】
図３は、面戸板４０に形成する穿刺爪４６の変形例を示す。穿刺爪４６を形成するための、周囲の打ち抜き部分の形状は、図２に示したように背面側に開放していてもよいし、図３（ａ）、（ｂ）、（ｄ）、のように、開放していなくてもよい。また、穿刺爪４６の向きは、（ａ）、（ｂ）、（ｅ）のような背面方向だけでなく、（ｃ）、（ｄ）のように、面戸板４０の長さ方向とすることもできる。さらに、（ｄ）のように、一ヶ所の打ち抜き部分に２本の穿刺爪４６を形成してもよい。また、（ｅ）のように、穿刺爪４６の先端脇に鉤状の返り爪４８を形成すれば、ケミカル面戸３０に突き刺して仮止めした面戸板４０が、急勾配の屋根においても抜け落ちにくくなって、さらに作業性が向上する。いずれの形状についても、穿刺爪４６の長さや幅寸法については、面戸板４０の板厚や材質との兼ね合いで、指先で容易に折り曲げられる範囲に設定されるのが好ましい。
【００３７】
さらに、面戸板４０の穿刺爪４６は、上記のような取付面部４４ではなく、止水面部４２に形成されてもよい。その形態を図４に示す。（ａ）は、止水面部４２と取付面部４４とが断面略Ｌ字状に形成された面戸板４０であり、（ｂ）は、取付面部４４がなく、止水面部４２だけで構成される平坦な面戸板４０である。これらの面戸板４０には、止水面部４２の一部を打ち抜いて下向きの穿刺爪４６が形成され、この穿刺爪４６が、施工時に背面側に折り曲げられて斜め下向きに突出し、ケミカル面戸３０の水下側の正面に突き刺される。このような構成によっても、面戸板４０をケミカル面戸３０に対して容易に仮止めすることが可能になる。
【実施例２】
【００３８】
上階外壁から外側に葺き下ろされた差掛屋根や庇屋根等の水上側の取合部近傍における本発明の実施形態を図５に示す。図中に示した屋根葺き材２０、ケミカル面戸３０、面戸板４０は、図１及び図２に示した各部材と共通である。符号７２は外壁下地材、符号７４は外壁材、符号８０は雨押えである。
【００３９】
外壁との取合部においても、まず屋根下地材１０上にタイトフレーム１４を介して屋根葺き材２０が葺設される。そして、取合部近傍における屋根葺き材２０の表面にケミカル面戸３０が仮止めされ、このケミカル面戸３０に面戸板４０が、穿刺爪４６を上方から突き刺して仮止めされる。
【００４０】
次いで、外壁材７４の下縁部近傍から面戸板４０までを覆うように雨押え８０が取り付けられ、雨押えの縁部が、フランジ付きのタッピンねじ８２により、屋根葺き材２０に対して留め付けられる。このタッピンねじ８２により、面戸板４０の取付面部４４も屋根葺き材２０に対して一緒に固定される。こうして、外壁との取合部近傍における雨仕舞が構成される。この場合も、面戸板４０をケミカル面戸３０に対して適正に、かつ、きわめて簡単に仮止めすることができるという効果が得られる。
【００４１】
図６は、図５に示した雨仕舞に利用される面戸板４０の変形例を示す。例示の面戸板４０は、取付面部４４の奥行きがやや大きめに形成されていて、その背縁部を上向きに折り返すことにより、水返し片４９が形成されるようになっている。このような面戸板４０を図５に示した雨仕舞に採用すれば、雨押さえ８０の縁部の下側から雨水が吹き込むのを万全に防ぐことができる。
【図面の簡単な説明】
【００４２】
【図１】棟近傍部分における本発明の実施形態（実施例１）を示す断面図である。
【図２】同じく、斜視図である。
【図３】面戸板に形成される穿刺爪の変形例を示す説明図である。
【図４】面戸板に形成される穿刺爪の変形例を示す説明図である。
【図５】外壁との取合部分における本発明の実施形態（実施例２）を示す断面図である。
【図６】図５の雨仕舞に用いられる面戸板の変形例を示す斜視図である。
【図７】棟近傍部分における従来の雨仕舞を示す断面図である。
【図８】同じく、斜視図である。
【符号の説明】
【００４３】
１０  屋根下地材
２０  屋根葺き材
２２  タッピンねじ
３０  ケミカル面戸
４０  面戸板
４２  止水面部
４４  取付面部
４６  穿刺爪
４８  返り爪
４９  水返し片
５０  棟下地桟木
６０  棟包み
６６  タッピンねじ
７４  外壁材
８０  雨押え
８２  タッピンねじ
【図１】
2007107193.tif 000003
【図２】
2007107193.tif 000004
【図３】
2007107193.tif 000005
【図４】
2007107193.tif 000006
【図５】
2007107193.tif 000007
【図６】
2007107193.tif 000008
【図７】
2007107193.tif 000009
【図８】
2007107193.tif 000010